(57)【特許請求の範囲】
【請求項１】
エレベータードアの外面に装飾用ガラス板を固定するためのエレベータードアのガラス板固定装置であって、
前記エレベータードアの外面に付着される前記ガラス板と前記エレベータードアとの間に配置され、前記ガラス板を支持する弾性材質の背面シート、および
固定手段、
を備え、
前記固定手段は、
前記ガラス板の一縁部と外面を同時に支持するために前記ガラス板の一縁部に沿って前記エレベータードアの前記外面上に設けられる長状の第１のサポートと、
前記第１のサポートを貫通して前記エレベータードアに固定するネジ及びボルトを含み外面から挿入された第１の締結具と、
前記第１の締結具を覆い、前記第１のサポートに噛み合って固定される第１の蓋部と、
を含むことを特徴とするエレベータードアのガラス板固定装置。
【請求項２】
上下端固定手段をさらに備え、
前記上下端固定手段は、
前記ガラス板の上端または下端の縁部と外面を同時に支持するように前記一縁部とは異なる前記ガラス板の上端または下端の縁部と前記エレベータードアの上端または下端の縁部に沿って設けられる第２のサポートと、
前記第２のサポートを支持しつつ、一端部は前記エレベータードアの上端または下端の縁部に固定される受け台と、
前記第２のサポートと前記受け台を貫通して前記エレベータードアの上端部または下端部に固定するネジ及びボルトを含む第２の締結具と、
を含むことを特徴とする請求項１に記載のエレベータードアのガラス板固定装置。
【請求項３】
側面固定手段をさらに備え、
前記側面固定手段は、
前記一縁部とは異なる前記ガラス板の側面の縁部と外面とを同時に支持するように前記ガラス板の側面の縁部と前記エレベータードアの側面の縁部に沿って設けられる第３のサポートと、
前記第３のサポートを貫通して前記エレベータードアの側面に固定するネジ及びボルトを含み外面から挿入された第３の締結具と、
前記第３の締結具を覆い、前記第３のサポートに噛み合って固定される第２の蓋部と、
を含むことを特徴とする請求項１または２に記載のエレベータードアのガラス板固定装置。
【請求項４】
前記ガラス板と前記背面シートとがそれぞれ上下の２部分に分離されており、
上下の前記ガラス板と前記背面シートとの間において、上下の前記ガラス板を嵌める溝が上下に形成され前記ガラス板の幅全体に渡り上下の前記溝の間に空間が形成された長状の横サポートで、上下の前記ガラス板と前記背面シートは固定され、
前記横サポートの中央の前記空間に配置され前記横サポートを横切る掛け金で、前記横サポートは補強され、かつ、
前記掛け金の両端部は前記横サポートの両側に突出して前記エレベータードア両側の前記第１のサポート及び第３のサポートに各々固定される、
ことを特徴とする請求項３に記載のエレベータードアのガラス板固定装置。
【発明の詳細な説明】
【技術分野】
【０００１】
本発明は、エレベータードア表面の装飾板固定装置に関し、具体的には、エレベータードアの表面に設けられる装飾用ガラス板の分解・組み立てが容易になるようにするための固定装置に関する。
【背景技術】
【０００２】
最近、エレベーターの高級化傾向により、エレベーターの表面にガラス板を重ねて当てて装飾する場合が益々増加している。
【０００３】
図１はこのようにガラス板を設けた場合の従来例であって、図１（Ａ）はエレベータードアの正面図であり、図１（Ｂ）は図１（Ａ）のＦ−Ｆ’線断面図であり、図１（Ｃ）は図１（Ａ）のＥ−Ｅ’線断面図である。
【０００４】
図１（Ｂ）および図１（Ｃ）の断面図から分かるように、大部分が金属板からなるエレベータードアＤの外面にガラス板２０を当て、両側面と上下端をＵ型のカプラー２で結合して、ドアＤの内側面の両側の側部分と上下端部分に配置したＬ型締め具４でしっかりガラス板２０を固定した後、このように形成されたドアをエレベーターに設ける。すなわち、エレベーターを建物に設ける前に予め装飾用ガラス板をドアに付着するのである。
【０００５】
このように設けられた装飾板としてのガラス板は、衝撃によって壊れたり、その他の原因によって損傷したりして交替しなければならない場合、ドア全体を分解してはじめてガラス板を交替することができるため、維持・管理に多くの費用と時間が必要となる。勿論、ドア全体を分解しなければならないため、ガラス板の交替作業時に危険事故も頻繁に発生し得る。
【発明の概要】
【発明が解決しようとする課題】
【０００６】
本発明は、従来のこのような問題点を考慮して導き出されたものであり、エレベーターの外面に設けられたガラス板をエレベーターの外部から簡単に交替できる固定装置を提供することを目的とする。
【課題を解決するための手段】
【０００７】
本発明はエレベータードアの外面に装飾用ガラス板２０を固定するためのエレベータードアのガラス板固定装置であって、エレベータードアＤの外面に付着されるガラス板２０とエレベータードアＤとの間に配置され、ガラス板２０を支持する弾性材質の背面シート１０、および前記ガラス板２０の縁部に沿ってエレベータードアＤにガラス板を固定するための固定手段Ｆ、を備え、前記固定手段Ｆは、ガラス板２０の縁部と外面を同時に支持するためにガラス板の一縁部に沿ってエレベータードアの外面上に設けられる長状の第１のサポートＦ２と、前記第１のサポートＦ２を貫通してエレベータードアＤに固定するネジ及びボルトを含み外面から挿入された第１の締結具Ｆ４と、前記第１の締結具Ｆ４を覆い、前記第１のサポートＦ２に噛み合って固定される第１の蓋部Ｆ６を含む、エレベータードアのガラス板固定装置を提供する。
【０００９】
この場合、本発明による板固定装置は、下端固定手段Ｆ’をさらに備えてもよく、前記下端固定手段Ｆ’は、上記固定手段Ｆが設けられる一縁部とは異なるガラス板２０の下端の縁部と外面を同時に支持するようにガラス板の下端の縁部とエレベータードアＤの下端の縁部に沿って設けられる第２のサポートＦ２’と、前記第２のサポートＦ２’を支持しつつ、一端部はエレベータードアＤの下端の縁部に固定される受け台Ｆ５と、前記第２のサポートＦ２’と受け台Ｆ５を貫通してエレベータードアＤの下端部に固定するネジ及びボルトを含む第２の締結具Ｆ４とを含む。勿論、下端固定手段Ｆ’はガラス板の上端に設置することも可能である。
【００１０】
また、本発明による板固定装置は、側面固定手段Ｆ’’をさらに備えてもよく、前記側面固定手段Ｆ’’は、上記固定手段Ｆが設けられる一縁部とは異なるガラス板２０の側面の縁部と外面とを同時に支持するようにガラス板の側面の縁部とエレベータードアＤの側面の縁部に沿って設けられる第３のサポートＦ２’’と、前記第３のサポートＦ２’’を貫通してエレベータードアＤの側面に固定するネジ及びボルトを含み外面から挿入された第３の締結具Ｆ４と、前記第３の締結具Ｆ４を覆い、前記第３のサポートＦ２’’に噛み合って固定される第２の蓋部Ｆ６とを含む。
【００１１】
一方、本発明による固定装置において、場合によっては、前記ガラス板２０と背面シート１０がそれぞれ上下の２部分に分離されており、上下のガラス板２０と背面シート１０との間において、上下のガラス板２０を同時に嵌める溝３２が上下に形成されガラス板の幅全体に渡り上下の溝３２の間に空間が形成された長状の横サポート３０で、上下のガラス板２０と背面シート１０は固定され、前記横サポート３０の中央の前記空間に配置され横サポート３０を横切る掛け金３４で横サポート３０は補強され、かつ、前記掛け金３４の両端部は横サポート３０の両側に突出してエレベータードア両側の前記第１のサポート及び前記第３のサポート（Ｆ２及びＦ２’’）に各々固定されることが好ましい。
【発明の効果】
【００１２】
このように構成された本発明に係る固定装置によれば、エレベータードアをケージに設けた後にガラス板をドアの外部から設けることができるため、設置作業と時間と費用が従来に比べて大きく節減されることは勿論、作業時の安全も保障することができる。また、ガラス板が破損した場合にもドアを分解せずにドアの外部から簡単に固定装置だけを分離してガラス板を交替することができる。
【図面の簡単な説明】
【００１３】
【図１】ガラス板を設けた場合の従来例であって、図１（Ａ）はエレベータードアの正面図であり、図１（Ｂ）は図１（Ａ）のＦ−Ｆ’線断面図であり、図１（Ｃ）は図１（Ａ）のＥ−Ｅ’線断面図である。
【図２】本発明によりエレベータードアの外面に装飾用ガラス板２０を固定するためのエレベータードアのガラス板固定装置の代表的な一例の断面図であり、円の外には分解図が、円の中には組み立て図が示されている。
【図３】固定手段Ｆをより詳しく示し、蓋部Ｆ６の変形例を示す図であり、円の内は組み立て状態であり、円の外は分解状態の断面図である。
【図４】固定手段Ｆをより詳しく示し、蓋部Ｆ６の変形例を示す図であり、円の内は組み立て状態であり、円の外は分解状態の断面図である。
【図５】ガラス板２０の下端の縁部に設ける下端固定手段Ｆ’の断面図と分解斜視図を示しており、円の内は組み立て状態の断面図である。
【図６】ガラス板２０の側面、特にドアとドアが接する部分に設けるのに好適な固定手段Ｆ’’の分解断面図である。
【図７】固定手段Ｆをガラス板２０の側面に使用した一例の断面図であり、円の内は両側ドアが互いに接した状態の断面図である。
【図８】図８（Ａ）はガラス板が上下の２部分である場合のエレベータードアの正面図であり、図８（Ｂ）は図８（Ａ）のＧ−Ｇ’線断面図であり、図８（Ｃ）はこのような構造の横サポート３０を詳しく示す部分正面図であり、図８（Ｄ）は図８（Ｃ）のＫ−Ｋ’線断面図であり、図８（Ｅ）は図８（Ｃ）のＬ−Ｌ’線断面図である。
【発明を実施するための形態】
【００１４】
以下、添付図面を参照し、本発明について詳しく説明する。
【００１５】
図２は、本発明によりエレベータードアの外面に装飾用ガラス板２０を固定するためのエレベータードアのガラス板固定装置の代表的な一例の断面図であって、円の外には分解図が、円の中には組み立て図が示されている。図２の場合はガラス板２０の上端部に沿って設けられる固定装置を例に挙げたものであるが、この固定装置はガラス板のどちらの縁部にも設けられることができる。
【００１６】
エレベータードアＤの外面に付着されるガラス板２０を衝撃から保護するために、ガラス板２０とエレベータードアＤとの間に弾性材質の背面シート１０を配置する。このガラス板２０の縁部に沿ってエレベータードアＤにガラス板を固定するのに固定手段Ｆを使用する。
【００１７】
このような固定手段Ｆは、サポートＦ２、締結具Ｆ４および蓋部Ｆ６からなることが好ましい。サポートＦ２は、ガラス板２０の縁部と外面を同時に支持するためにガラス板の縁部に沿って設けられる長い板状の構造物であって、図に示すように、ガラス板２０と背面シート１０の縁部とガラス板２０の外面を同時に支持する構造を取らなければならない。締結具Ｆ４は、このようなサポートＦ２を貫通してドアＤに固定されるネジ、ボルトなどを含み、締結具Ｆ４を締めるとサポートＦ２が締められ、ガラス板と背面シートをドアの外面にしっかり固定させる。また、締結具Ｆ４、具体的には、締結具のヘッドが外部に見られると美観上良くないため、締結具を覆う蓋部Ｆ６をサポートＦ２に噛み合うように固定することが好ましい。
【００１８】
図３〜４はこのような固定手段Ｆをより詳しく示し、蓋部Ｆ６の変形例を示す図であって、円の内は組み立て状態であり、円の外は分解状態の断面図である。前述した蓋部Ｆ６の表面に補強材Ｆ７を覆うこともできる。これは、蓋の下部の材料としてアルミニウムのような軟弱な材質を使用する場合が多いため、このような下部材料が損傷したり破損したりすることを防止するためである。また、図４は、蓋部Ｆ６を、接着剤を使ってサポートＦ２に固定する場合を示す。
【００１９】
図５は、ガラス板２０の下端の縁部に設ける下端固定手段Ｆ’の断面図と分解斜視図を示し、円の内は組み立て状態の断面図である。
【００２０】
下端固定手段Ｆ’は、サポートＦ２’、受け台Ｆ５および締結具Ｆ４からなる。サポートＦ２’は、ガラス板２０の下端の縁部と外面を同時に支持するようにガラス板の下端の縁部とドアＤ下端の縁部に沿って設置され、ガラス板と背面シートとドアの縁部と共にガラス板の外面を同時に支持する。受け台Ｆ５はサポートＦ２’を支持する機能をし、その一端部はドアの枠に固定される。このように下方からサポートＦ２’を支えるようになる。勿論、これらの締結具Ｆ４を利用し、サポートＦ２’と受け台Ｆ５を貫通してドアＤの下端部に固定するが、このような締結具はネジ、ボルト、リベットなどを含む。
【００２１】
図６は、ガラス板２０の側面、特にドアとドアが接する部分に設けるのに好適な固定手段Ｆ’’の分解断面図である。
【００２２】
図に示したように、側面固定手段Ｆ’’は、サポートＦ２’’、締結具Ｆ４および蓋部Ｆ６からなることが好ましい。サポートＦ２’’は、ガラス板２０の側面の縁部と外面を同時に支持するようにガラス板の側面の縁部とドアＤの側面の縁部に沿って設けられる長い板状の構造物であって、その断面がＵ型であり、一方ではガラス板と背面シートと噛み合い、反対側ではドアの他方の面と噛み合って固定される。締結具Ｆ４は、前述したように、サポートＦ２’’を貫通してサポートＦ２’’をドアＤの側面に固定する機能をし、ネジ、ボルト、リベットなどを含む。蓋部Ｆ６は、前述した２実施例の蓋部と同一の機能をするものであり、締結具Ｆ４を覆い、サポートＦ２’’に噛み合って固定される。勿論、前述したように接着によって固定することもできる。
【００２３】
勿論、側面固定手段Ｆ’’の代わりに、前述した形態の固定手段Ｆをガラス板２０の側面に使用することも可能である。図７は、固定手段Ｆをガラス板２０の側面に使用した一例の断面図であり、円の内は両側ドアが互いに接した状態の断面図である。
【００２４】
一方、ガラス板２０を分離していくつかの部分に分けてエレベータードアＤに設けることもできる。これは、装飾効果を高めたり、ガラス板の破損の恐れを減らしたりするためである。このようにガラス板を上下の２部分に分けて設ける場合の構造について図８を参照して説明する。図８（Ａ）はガラス板が上下の２部分である場合のエレベータードアの正面図であり、図８（Ｂ）は図８（Ａ）のＧ−Ｇ’線断面図であり、図８（Ｃ）はこのような構造の横サポート３０を詳しく示す部分正面図であり、図８（Ｄ）は図８（Ｃ）のＫ−Ｋ’線断面図であり、図８（Ｅ）は図８（Ｃ）のＬ−Ｌ’線断面図である。
【００２５】
ガラス板２０を上下の２部分に分けて固定する場合、その間において、上下ガラス板を支持する装置が必要であり、この時、この装置を前述した側面固定手段（Ｆ２、Ｆ２’’）にしっかり支持するための補強手段を備えることが好ましい。
【００２６】
このような趣旨で、上下ガラス板２０の間において、これらのガラス板を２つとも固定するのに長状の横サポート３０を使用する。横サポート３０は、上下ガラス板２０と背面シート１０との間において、上下ガラス板２０を同時に締める溝３２が上下に形成されている。また、横サポート３０の全体を横切り、上下溝３２の間に空間が形成されるが、このような中央空間は、補強手段としての掛け金３４を設けるための空間である。掛け金３４は、補強機能のために堅固な材料、具体的には、鉄や金属の材料が好ましく、掛け金３４の両端部は横サポート３０の両側に突出するようにして、ドア両側の前記サポート（Ｆ２またはＦ２’’）に固定されることが好ましい。このようになれば、門に掛け金をかけたように上下ガラス板２０をよりしっかり支持および固定することができる。
【産業上の利用可能性】
【００２７】
以上、装飾板としてガラス板を例に挙げて説明したが、これはあくまでも例示であり、ガラス板ではない不透明材質やその他の全ての装飾板に本発明を適用することができる。
【図１】
0005198664.tif 000002
【図２】
0005198664.tif 000003
【図３】
0005198664.tif 000004
【図４】
0005198664.tif 000005
【図５】
0005198664.tif 000006
【図６】
0005198664.tif 000007
【図７】
0005198664.tif 000008
【図８】
0005198664.tif 000009